(57)【要約】      （修正有）【課題】外部機器にループ録画された番組の番組表を速く作成することのできる再生装置を提供する。【解決手段】放送信号を受信可能なチューナ部と、放送信号から取得した番組情報を記憶する記憶部と、ネットワークに接続可能な通信部と、外部機器から、通信部を介して少なくとも録画チャンネルと録画時間帯を含む録画情報を取得する取得部と、取得された録画情報に対応した番組情報に基づいて、外部機器に録画されたコンテンツの番組表を作成する作成部と、を備える再生装置としている。【選択図】図１
2017055323.tif 000002
【特許請求の範囲】
【請求項１】
放送信号を受信可能なチューナ部と、
前記放送信号から取得した番組情報を記憶する記憶部と、
ネットワークに接続可能な通信部と、
外部機器から、前記通信部を介して少なくとも録画チャンネルと録画時間帯を含む録画情報を取得する取得部と、
取得された前記録画情報に対応した前記番組情報に基づいて、前記外部機器に録画されたコンテンツの番組表を作成する作成部と、を備える再生装置。
【請求項２】
前記録画情報は、前記録画チャンネルごとの最も古い録画済番組の放送時間を更に含むことを特徴とする請求項１に記載の再生装置。
【請求項３】
前記録画情報は、録画時間帯の設定履歴を含むことを特徴とする請求項１又は請求項２に記載の再生装置。
【請求項４】
前記録画情報は、所定日の２４時間分の録画コンテンツごとのメタ情報を含むことを特徴とする請求項１に記載の再生装置。
【請求項５】
前記所定日は、複数の日であることを特徴とする請求項４に記載の再生装置。
【請求項６】
作成された前記番組表において選択された番組の放送日と放送チャンネルに対応する２４時間分の録画コンテンツごとのメタ情報を前記外部機器に要求する第１の要求部と、
前記第１の要求部による要求によって前記外部機器から取得した前記メタ情報から前記選択された番組を特定し、特定された番組を前記外部機器に配信要求する第２の要求部と、を更に備えることを特徴とする請求項４又は請求項５に記載の再生装置。
【請求項７】
録画部と、
前記外部機器から取得した録画チャンネル及び録画時間帯を含む録画情報を、前記録画部による録画のために前記記憶部に記憶された録画チャンネル及び録画時間帯を含む録画情報と比較する比較部と、を更に備え、
前記録画部は、前記比較部による比較により特定された同一の録画チャンネル及び重複した録画時間帯においては録画を行わないことを特徴とする請求項１〜請求項６のいずれか１項に記載の再生装置。
【請求項８】
前記作成部は、前記外部機器に録画されたコンテンツの番組表である連携先番組表と共に前記録画部により録画された番組の番組表である連携元番組表を含めた統合番組表を作成し、
前記同一の録画チャンネル及び前記重複した録画時間帯について、前記連携元番組表には番組を表示させ、前記連携先番組表には番組を表示させないことを特徴とする請求項７に記載の再生装置。
【発明の詳細な説明】
【技術分野】
【０００１】
本発明は、再生装置に関する。
【背景技術】
【０００２】
従来、放送番組（以下単に「番組」と称することがある）を録画可能な録画装置が様々に開発されている。録画方法としては、特定の番組を個別に録画する通常録画の他、いくつかの方法が提案されている。
【０００３】
そのうちの一つに、特定の放送チャンネル（以下単に「チャンネル」と称することがある）に関して一日のうち予め設定された時間帯で繰り返して録画するループ録画が提案されている（例えば特許文献１）。
【０００４】
従来、このようなループ録画の機能を有した二つの録画装置を備えたホームネットワークシステムを構成することも実現されている。このようなホームネットワークシステムでは、一方の録画装置がＤＭＰ（Digital Media Player）として、他方の録画装置がＤＭＳ(（Digital Media Server)として機能し、ＤＭＳからＤＭＰへ録画コンテンツを配信してＤＭＰ側で当該録画コンテンツを再生させることが可能となっている。
【０００５】
また、上記ホームネットワークシステムでは、ＤＭＰとしての録画装置がＤＭＳとしての録画装置から録画コンテンツに関する情報（番組タイトル、チャンネル、録画開始時間、録画時間等のメタ情報）を取得し、ＤＭＰとしての録画装置が自機にループ録画された録画コンテンツのみならず、ＤＭＳとしての録画装置にループ録画された録画コンテンツも併せて同時に表示させる番組表（統合過去番組表）を作成することが可能であった。このような統合過去番組表においてＤＭＳ側の録画コンテンツを選択することで、選択された録画コンテンツをＤＭＰ側へ配信して再生させることができた。
【先行技術文献】
【特許文献】
【０００６】
【特許文献１】特開２０１４−７２８１１号公報
【発明の概要】
【発明が解決しようとする課題】
【０００７】
しかしながら、上記従来のネットワークシステムでは、統合過去番組表を作成する際にＤＭＳとしての録画装置にループ録画されている全ての録画コンテンツに関する情報をＤＭＰ側へ送信させる必要があり、録画コンテンツの数が多くなるとより時間がかかることになる。更に、ＤＭＰ側でＤＭＳから送信された録画コンテンツに関する情報を番組表のデータに変換する時間も必要となる。
【０００８】
そのため、特に統合過去番組表を使い始めた当初は、番組表においてＤＭＳとしての録画装置の録画コンテンツの一部が表示されず、不完全な状態で番組表が表示されることになるという問題点があった。
【０００９】
なお、特許文献１には、自機でループ録画した録画コンテンツの番組表（過去番組表）を作成する録画装置が開示されているが、録画装置のネットワークシステムに関するものではない。
【００１０】
上記問題点に鑑み、本発明は、外部機器にループ録画された番組の番組表を速く作成することのできる再生装置を提供することを目的とする。
【課題を解決するための手段】
【００１１】
上記目的を達成するために、本発明の一態様に係る再生装置は、放送信号を受信可能なチューナ部と、
前記放送信号から取得した番組情報を記憶する記憶部と、
ネットワークに接続可能な通信部と、
外部機器から、前記通信部を介して少なくとも録画チャンネルと録画時間帯を含む録画情報を取得する取得部と、
取得された前記録画情報に対応した前記番組情報に基づいて、前記外部機器に録画されたコンテンツの番組表を作成する作成部と、を備える構成としている（第１の構成）。
【００１２】
このような構成によれば、外部機器から取得された録画情報と番組情報を用いて録画状態を推測することで番組表を速く作成することができる。
【００１３】
また、上記第１の構成において、前記録画情報は、前記録画チャンネルごとの最も古い録画済番組の放送時間を更に含むこととしてもよい（第２の構成）。
【００１４】
このような構成によれば、実際には録画されていない番組が番組表で表示されることを防ぎ、精度良く番組表を作成できる。
【００１５】
また、上記第１又は第２の構成において、前記録画情報は、録画時間帯の設定履歴を含むこととしてもよい（第３の構成）。
【００１６】
このような構成によれば、録画時間帯の設定を変更した場合でも、精度良く番組表を作成することができる。
【００１７】
また、上記第１の構成において、前記録画情報は、所定日の２４時間分の録画コンテンツごとのメタ情報を含むこととしてもよい（第４の構成）。
【００１８】
このような構成によれば、要求を受けてメタ情報を送信する外部機器のファームウェアを従来から変更する必要が無い。
【００１９】
また、上記第４の構成において、前記所定日は、複数の日であることとしてもよい（第５の構成）。
【００２０】
このような構成によれば、ループ録画の設定を変更した場合でも、精度良く番組表を作成することができる。
【００２１】
また、上記第４又は第５の構成において、作成された前記番組表において選択された番組の放送日と放送チャンネルに対応する２４時間分の録画コンテンツごとのメタ情報を前記外部機器に要求する第１の要求部と、
前記第１の要求部による要求によって前記外部機器から取得した前記メタ情報から前記選択された番組を特定し、特定された番組を前記外部機器に配信要求する第２の要求部と、を更に備えることとしてもよい（第６の構成）。
【００２２】
このような構成によれば、外部機器におけるファームウェアの変更が必要なく、番組表において選択した番組の配信を行うことができる。
【００２３】
また、上記第１〜第６のいずれかの構成において、録画部と、前記外部機器から取得した録画チャンネル及び録画時間帯を含む録画情報を、前記録画部による録画のために前記記憶部に記憶された録画チャンネル及び録画時間帯を含む録画情報と比較する比較部と、を更に備え、前記録画部は、前記比較部による比較により特定された同一の録画チャンネル及び重複した録画時間帯においては録画を行わないこととしてもよい（第７の構成）。
【００２４】
このような構成によれば、再生装置における無駄なループ録画を防止し、録画空き容量を大きく増加させることができる。
【００２５】
また、上記第７の構成において、前記作成部は、前記外部機器に録画されたコンテンツの番組表である連携先番組表と共に前記録画部により録画された番組の番組表である連携元番組表を含めた統合番組表を作成し、
前記同一の録画チャンネル及び前記重複した録画時間帯について、前記連携元番組表には番組を表示させ、前記連携先番組表には番組を表示させないこととしてもよい（第８の構成）。
【００２６】
このような構成によれば、自機では録画設定されているが実際にはループ録画されていない番組を再生装置において録画したように見せかけることができ、ユーザへの違和感のないものとなる。
【発明の効果】
【００２７】
本発明によると、外部機器にループ録画された番組の番組表を速く作成することができる。
【図面の簡単な説明】
【００２８】
【図１】本発明の第１実施形態に係るホームネットワークシステムのブロック構成を示す図である。
【図２Ａ】連携元の録画装置におけるループ録画計画の一例を示す図である。
【図２Ｂ】連携先の録画装置におけるループ録画計画の一例を示す図である。
【図３】本発明の第１実施形態に係る統合過去番組表の作成処理及び番組配信処理に関するフローチャートである。
【図４】統合過去番組表の一例を示す図である。
【図５】本発明の第２実施形態に係る統合過去番組表の作成処理及び番組配信処理に関するフローチャートである。
【図６】本発明の第２実施形態において作成される統合過去番組表の一例を示す図である。
【図７】本発明の第３実施形態に係る統合過去番組表の作成処理及び番組配信処理に関するフローチャートである。
【図８】本発明の第４実施形態に関し、録画装置間で同一の設定チャンネル及び重複した設定録画時間帯を説明するための図である。
【発明を実施するための形態】
【００２９】
以下に本発明の一実施形態について図面を参照しつつ説明する。
【００３０】
＜第１実施形態＞
まず、本発明の第１実施形態について説明する。本発明の第１実施形態に係るホームネットワークシステムのブロック構成を図１に示す。
【００３１】
図１に示すホームネットワークシステムは、ネットワーク（ＬＡＮ）１０にそれぞれ接続される録画装置１及び録画装置１１から構成される。
【００３２】
録画装置１（再生装置）は、図１に示すように受信部であるチューナ部２、データ処理部３、記録部４、出力部５、操作部６、記憶部７、通信部８、及び制御部９を備えている。録画装置１は、不図示のアンテナやモニタ、或いはテレビ受信機に電気的に接続され、テレビ放送の録画や再生のために利用される。
【００３３】
チューナ部２は、テレビ放送局から提供される放送信号の受信に利用される。チューナ部２は、不図示のアンテナから受信した放送信号の選局及び復調を行う。録画装置１は、３つのチューナ部２（Ｔ０、Ｔ１、Ｔ２）を備え、同時に３チャンネルの放送番組の録画が可能である。
【００３４】
データ処理部３は、チューナ部２から受け取った放送信号に基づいて映像音声信号を生成し、当該信号を記録部４または出力部５に送信する。また、データ処理部３は、記録部４の録画コンテンツに対して再生処理を行い、処理後の映像音声信号を出力部５に送信もする。
【００３５】
記録部４は、チューナ部２及びデータ処理部３を介して取得した映像音声信号（放送番組）を録画コンテンツとして記録する。記録部４は、ＨＤＤ（ハードディスクドライブ）や光ディスク装置などからなり、録画装置１に内蔵されているもののほか、外付けされているものでもよい。
【００３６】
出力部５は、データ処理部３から受け取った映像音声信号や、メニュー画面、電子番組表等のＯＳＤ（オンスクリーンディスプレイ）画像データを外部に出力する。出力部５の出力信号は録画装置１に電気的に接続される例えばモニタやテレビ受信機に送出される。モニタやテレビ受信機は、出力部５の出力信号に基づく映像及びＯＳＤ画像を自身の画面に表示させ、音声をスピーカから出力させる。
【００３７】
操作部６は、録画装置１の筐体表面や不図示のリモコンに設けられた各種操作キーを備える。例えば、操作部６は、ユーザによる番組の録画や録画番組の再生に係る操作、電子番組表や録画計画などに係る操作を受け付ける。
【００３８】
制御部９は、不図示の演算部やその他の電子部品で構成され、記憶部７等に予め記憶、入力されたプログラム、データに基づき録画装置１の各部を統括的に制御する。
【００３９】
記憶部７は、制御部９が利用する上記プログラムやデータの他、ＥＰＧ（電子番組表）情報や、記録部４に対する録画計画を記憶する。
【００４０】
通信部８は、ネットワーク１０に接続され、ネットワーク１０を介して録画装置１１との通信を行う。通信部８は、後述するように録画装置１１から録画コンテンツに係る映像音声信号の配信を受けたり、ループ録画に関する情報を受け取ったりする。
【００４１】
ここで、録画装置１は、通常録画のほかにループ録画を行うことが可能となっている。記録部４には予め設定されたループ録画用の記録領域と通常録画用の記録領域とが存在し、ループ録画モードまたは通常録画モードで録画された録画コンテンツ（番組）が各々対応する領域に記録される。
【００４２】
ループ録画は、特定の放送チャンネルに関して一日のうち所定の時間帯で繰り返して番組を録画するものである。例えば図２Ａによれば、３つのチューナ部２のうち、チューナ部２（Ｔ０、Ｔ１）に対してループ録画予約が設定されている。チューナ部Ｔ０に対してチャンネルＡが設定され、チューナ部Ｔ１に対してチャンネルＢが設定される。ここでは一例としてチャンネルの設定に対して録画時間帯の設定はチャンネル間で同一にだけ設定可能としており、図２ＡではチャンネルＡ、Ｂともに開始時刻４時から終了時刻１９時まで番組を録画するよう設定されている。
【００４３】
ループ録画に関して、制御部９は例えばこのような設定に基づいて毎日繰り返し番組録画を実行する。記録部４のループ録画用の記録領域が残り少なくなると、古い録画データから順に削除（上書き）して録画を継続する。
【００４４】
なお、記録部４には、録画コンテンツ（番組）ごとに録画コンテンツに関するメタ情報が記録される。当該メタ情報は、例えば録画日、録画開始時刻、録画時間（録画開始から終了までの時間）、録画チャンネル、番組タイトル、放送時間（放送日、放送開始時刻、放送終了時刻等）、番組詳細情報等が含まれる。番組タイトル、放送時間、番組詳細情報等は、ＥＰＧ情報に基づいて取得できる。
【００４５】
図１に示すホームネットワークシステムにおける録画装置１１（外部機器）は、チューナ部１２、データ処理部１３、記録部１４、出力部１５、操作部１６、記憶部１７、通信部１８、及び制御部１９を備えている。
【００４６】
録画装置１１は、録画装置１と同様に３つのチューナ部１２（Ｔ１０、Ｔ１１、Ｔ１２）を備えており、各部構成の機能は録画装置１と同様であるのでここでの詳述は省略する。なお、通信部１８は、ネットワーク１０に接続され、ネットワーク１０を介して通信部８との通信を行う。
【００４７】
また、録画装置１１においても通常録画の他にループ録画が可能となっている。図２Ｂの一例であれば、３つのチューナ部Ｔ１０〜Ｔ１２の全てに対してループ録画が予約されており、各チューナ部についてそれぞれチャンネルＸ、Ｙ、Ｚが設定され、各チャンネルに共通で録画時間帯として２時から１５時までが設定されている。このような設定に基づき制御部１９による制御によって、毎日繰り返し番組が記録部１４に録画コンテンツとして記録される。また、記録部１４には、録画コンテンツ（番組）ごとに先述したメタ情報が記録される。
【００４８】
以上のような構成である録画装置１、及び録画装置１１から構成されるホームネットワークシステムにおいては、連携元である録画装置１が、自身のループ録画による録画コンテンツに対応する番組表を、連携先である録画装置１１のループ録画による録画コンテンツに対応する番組表と同時に示す統合過去番組表を作成・表示させることが可能であり、以下、これについて詳述する。
【００４９】
まず、統合過去番組表作成に利用されるＥＰＧ情報（番組情報）について説明すると、録画装置１においては、チューナ部２及びデータ処理部３を介して取得されるＥＰＧ情報が記憶部７に定期的（例えば１日ごと）に記憶される。このように最新のＥＰＧ情報が記憶される際に、旧のＥＰＧ情報は削除されるのではなく、一定期間記憶部７に保持されるようにしている。
【００５０】
また、予めユーザによって録画装置１と録画装置１１の連携が設定される。より具体的には、例えば録画装置１に接続されるモニタ等に表示されるメニュー画面における操作により、制御部９と制御部１９がネットワーク１０を介した通信を行うことで録画装置１１を示す情報（型番など）が上記モニタ等に表示され、当該録画装置１１を示す情報が選択操作される。これにより、制御部９は、選択された録画装置１１のＩＤ（識別情報）を連携先として記憶する。
【００５１】
以上の前提において、連携元である録画装置１における操作部６において統合過去番組表の表示操作がなされた場合の処理を図３のフローチャートに示す。図３において、左方は連携元である録画装置１の処理、右方は連携先である録画装置１１の処理を示す。
【００５２】
図３のフローチャートが開始されると、まずステップＳ１で、録画装置１の制御部９は、通信部８を用いてネットワーク１０を介して録画装置１１にループ録画に関する情報（録画情報）の要求を行う。
【００５３】
ステップＳ２で録画装置１１の制御部１９は、通信部１８を介して上記要求を受け取ると、記憶部１７に設定されているループ録画計画としての録画チャンネル、及び録画時間帯（例えば図２Ｂであれば録画チャンネルはチャンネルＸ、Ｙ、Ｚ、録画時間帯は２時から１５時）に加え、記録部１４に記録されている各チャンネルの最も古い録画済番組（録画コンテンツ）の各放送時間（メタ情報に含まれる）の各情報を通信部１８を用いてネットワーク１０を介して録画装置１に送信する。
【００５４】
上記送信された各情報（ループ録画に関する情報）を通信部８を介して制御部９が受け取る（ステップＳ３）。すると、ステップＳ４で、制御部９は、取得したループ録画に関する情報と記憶部７に保持されたＥＰＧ情報（過去のＥＰＧ情報）に基づいて統合過去番組表を作成する。作成された統合過去番組表のデータは、出力部５からモニタ等へ出力され、モニタ等において統合過去番組表が表示される。
【００５５】
ここで、統合過去番組表の作成例を図４に示す。図４に示すように、上方には日付表示欄４１が配され、その下には録画装置１におけるループ録画による録画コンテンツに対応する番組を表示するための連携元番組表示欄４２と、録画装置１１におけるループ録画による録画コンテンツに対応する番組を表示するための連携先番組表示欄４３が左右に並べて配される。また、連携元番組表示欄４２と連携先番組表示欄４３に共通の時刻表示欄４４も配される。連携元番組表示欄４２と連携先番組表示欄４３にはそれぞれ、チャンネル表示欄４２１、４３１が配されている。なお、図４では、一例として番組表示は番組タイトルの表示により行っている。また、図４は、図２Ａ及び図２Ｂの録画計画に対応したものとしている。
【００５６】
連携元番組表示欄４２における表示については、記憶部７に保持されているＥＰＧ情報と、記憶部７に記憶されている録画コンテンツごとのメタ情報（特に録画日、録画開始時刻、録画時間、録画チャンネル）に基づき、日付表示欄４１における対象の日付、及び時刻表示欄４４における表示させる時刻に対応した番組表示を行う。なお、日付表示欄における対象の日付（図４では４月１２日）は操作部６の操作（左右キー等）によって変更可能である。また、時刻表示欄４４における表示される時刻も操作部６の操作（上下キー）によって変更可能である（図４であればＡＭ９の位置から更に下方向へキー操作されると５時から１０時までが表示される等）。これらの日付、時刻の変更に応じて番組が表示されることになる。
【００５７】
また、連携先番組表示欄４３における表示については、記憶部７に記憶されているＥＰＧ情報と、録画装置１１から取得したループ録画に関する情報に基づき、日付表示欄４１における対象の日付及び時刻表示欄４４における表示させる時刻による日時が取得した放送時間以降であるチャンネルにおいて取得した録画時間帯に該当する番組は録画装置１１で録画されているものと推測し、その番組を表示させる。
【００５８】
なお、連携元番組表示欄４２及び連携先番組表示欄４３ともに該当する表示番組が無い場合は、その箇所は空白などにしておく。例えば、録画装置１及び録画装置１１ともに９時から１０時までは録画時間帯に設定されていないとすれば、図４において、連携元番組表示欄４２では「○○○小説」「えいご」の全体が空白となり、連携先番組表示欄４３では「○○スタジオ」「○×討論会」「○□サスペンス」の９時以降の一部箇所は空白となる。
【００５９】
このように、本実施形態では、統合過去番組表を作成する場合に、連携先である録画装置１１のループ録画による録画コンテンツに対応した番組表作成については、データ量を抑えたループ録画に関する情報を録画装置１１からネットワーク通信によって取得して過去のＥＰＧ情報も用いて録画状態を推測することで実現できるので、番組表作成を速く行うことで完全な状態での番組表を表示させることができる。
【００６０】
ステップＳ４で表示された統合過去番組表で、操作部６による操作により連携先番組表示欄４３における或る番組が選択されると（ステップＳ５のＹ）、ステップＳ６で制御部９は、選択された番組のチャンネル、番組タイトル、及び放送時間の各情報を通信部８を用いてネットワーク１０を介して録画装置１１へ送信する。
【００６１】
ステップＳ７で、制御部１９は、通信部１８を介して取得した上記各情報と記録部１６に記録されたメタ情報に基づき記録部１４に記録された録画コンテンツを検索する。そして、ステップＳ８で、制御部１９は、検索された録画コンテンツに係る映像音声信号の通信部１８及びネットワーク１０を介した録画装置１への配信を開始させ、ステップＳ９で録画装置１では、配信された映像音声信号を出力部５からモニタ等へ出力して再生させることを開始させる。
【００６２】
なお、連携元番組表示欄４２における番組が選択された場合は、選択された番組に対応する録画コンテンツに係る映像音声信号が記録部４から読み出され、出力部５からモニタ等へ出力されて再生される。
【００６３】
＜第２実施形態＞
次に、本発明の第２実施形態について説明する。本実施形態に係る統合過去番組表の作成処理に関するフローチャートを図５に示す。図５に示す処理の第１実施形態（図３）との相違点として、図３のステップＳ２では録画装置１１から現在設定されているループ録画の録画時間帯を送信するようにしていたが、図５のステップＳ１２では録画時間帯の設定履歴（現在の設定も含まれる）を送信する。録画時間帯の設定履歴には、設定日時と対応する設定録画時間帯が含まれる。
【００６４】
このような録画時間帯の設定履歴を含めた情報を録画装置１が取得することで（ステップＳ１３）、ステップＳ１４では、統合過去番組表の連携先番組表示欄４３に上記取得した情報に基づく番組表示が行われる。より具体的には、日付表示欄４１における対象の日付及び時刻表示欄４４における表示させる時刻による日時が取得した放送時間以降であるチャンネルにおいて、取得した録画時間帯の設定履歴のうち該当する録画時間帯の番組は録画装置１１に録画されていると推測し、その番組を表示させる。
【００６５】
例えば図６の例では、現在の設定では図２Ｂに示すように録画時間帯に５時から６時の時間帯も含まれるが、過去の設定ではその時間帯が設定されていない場合でも、連携先番組表示欄４３において５時から６時の時間帯は空白表示Ｓが行われ、精度良く番組表示を行うことが可能である。
【００６６】
＜第３実施形態＞
次に、本発明の第３実施形態について説明する。本実施形態では、図１に示すホームネットワークはＤＬＮＡ（Digital Living Network Alliance）に準拠している。また、本実施形態では、録画装置１は、録画装置１１からＤＬＮＡのＣＤＳ（Content Directory Service）によってネットワーク１０を介して録画コンテンツのメタ情報を取得できる。メタ情報を取得するためのＢｒｏｗｓｅアクションなどがＣＤＳでは用意されている。
【００６７】
本実施形態に係る統合過去番組表の作成処理に関するフローチャートを図７に示す。図７に示す処理が開始されると、ステップＳ２１で録画装置１の制御部９は、所定の指定日の２４時間分の録画コンテンツに関するメタ情報をＣＤＳによるコマンドにてネットワーク１０を介して録画装置１１に要求する。上記指定日としては、例えば、ユーザが操作部６によって指定した日でもよいし、自動的に決定した最近の日としてもよい。
【００６８】
録画装置１１の制御部１９は、上記コマンドを受け取ると、記録部１４に記録された指定日の２４時間分の録画コンテンツに関するメタ情報を録画装置１へネットワーク１０を介して送信する（ステップＳ２２）。
【００６９】
ステップＳ２３で制御部９が上記メタ情報を取得すると、ステップＳ２４で制御部９は、記憶部７に保持されたＥＰＧ情報と、取得したメタ情報に含まれる録画チャンネルと、取得したメタ情報に含まれる録画開始時間及び録画時間に基づき推定される録画時間帯に基づき、連携先番組表示欄４３に番組を表示させるよう統合過去番組表を作成する。
【００７０】
このような実施形態によっても、統合過去番組表を作成する場合に、録画装置１１からネットワーク通信により取得するデータ量を抑えることができるので、録画装置１１の録画コンテンツに対応する番組表の作成を速く行うことができ、完全な状態での番組表示が可能となる。
【００７１】
そして、表示された統合過去番組表における連携先番組表示欄４３の番組が選択されると（ステップＳ２５のＹ）、ステップＳ２６で制御部９は、選択された番組の放送日と放送チャンネルに対応する２４時間分のメタ情報をＣＤＳによるコマンドにて録画装置１１へネットワーク１０を介して要求する。
【００７２】
すると、コマンド受け取った制御部１９は、ステップＳ２７で、要求された２４時間分のメタ情報をネットワーク１０を介して録画装置１へ送信する。
【００７３】
ステップＳ２８で、制御部９は、ネットワーク１０を介して取得した２４時間分のメタ情報から選択された番組を特定し、特定された番組の配信をネットワーク１０を介して録画装置１１へ要求する。
【００７４】
制御部１９は、上記配信要求を受けると、ステップＳ２９で、要求を受けた記録部１４に記録された番組（録画コンテンツ）に係る映像音声信号を通信部１８からネットワーク１０を介して録画装置１へ配信させることを開始する。そして、ステップＳ３０で、録画装置１では、配信された映像音声信号を出力部５からモニタ等へ出力して再生させることを開始させる。
【００７５】
このような本実施形態によれば、連携先である録画装置１１としては、従来のＣＤＳによるメタ情報の送信を行うファームウェアの変更を行う必要が無いというメリットを享受することもできる。
【００７６】
なお、本実施形態の変形例として、例えばステップＳ２１において一つの指定日ではなく、期間を互いにあけた複数の指定日を指定して２４時間分のメタ情報を要求し、ステップＳ２３で取得するようにしてもよい。この場合、ステップＳ２４では、取得されたメタ情報に含まれる録画開始時間及び録画時間に基づき、複数の指定日の各々について録画時間帯を推定し、推定結果に基づき連携先番組表示欄４３における番組表示を行う。これによれば、録画装置１１において録画時間帯の設定変更があった場合でも、精度良く番組表示を行うことができる。
【００７７】
また、上記ステップＳ２５で選択された番組が指定日のものである場合は、既にメタ情報を取得していることになるので、ステップＳ２６には進まず、取得しているメタ情報から選択された番組を特定し、録画装置１１へ配信要求を行うこととしてもよい。これによれば、より早期に配信を開始させることができる。
【００７８】
＜第４実施形態＞
本実施形態は、上記第１〜第３実施形態と組み合わせて実施することのできる実施例である。
【００７９】
本実施形態の録画装置１の制御部９は、録画装置１１から設定されている録画チャンネル及び録画時間帯の各種情報をネットワーク１０を介して取得する。そして、制御部９は、自機に設定されている録画チャンネル及び録画時間帯と上記取得した情報を比較し、同一の録画チャンネルで重複している録画時間帯を特定した場合、そのチャンネル及びその録画時間帯では記録部４への録画を行わないようにする。
【００８０】
例えば図８を用いて説明すると、録画装置１ではチューナ部Ｔ０に対してチャンネルＡでの４時から１９時までの録画時間帯でのループ録画が設定され、録画装置１１ではチューナ部Ｔ１０に対してチャンネルＡでの２時から１５時までの録画時間帯でのループ録画が設定されている。この場合、同一のチャンネルＡでの重複している４時から１５時までの録画時間帯Ｔｄには録画装置１では録画を行わない。一方、録画装置１１では、設定どおり録画時間帯Ｔｄでも録画が行われる。これにより、録画装置１での無駄な録画を防止し、録画空き容量を増加させることができる。
【００８１】
そして、統合過去番組表を作成する際には、上記同一のチャンネル及び重複した録画時間帯においては録画装置１には実際には録画されていないが、連携元番組表示欄４２においては録画されているように見せかけて番組表示を行い、一方、録画装置１１には実際には録画されているが、連携先番組表示欄４３においては本来番組表示させるものを表示させないようにする。これにより、ユーザにとっては録画装置１における録画設定の通りの表示となるので、違和感のないものとなる。そして、連携元番組表示欄４２における上記番組表示による番組が選択された場合、選択された番組の録画装置１１への配信要求が行われ、録画装置１１から録画装置１へ要求された番組の配信が開始され、録画装置１において再生が行われる。
【００８２】
以上、本発明の実施形態について説明したが、本発明の趣旨の範囲内であれば、実施形態は種々の変形が可能である。
【００８３】
例えば、ループ録画については、チャンネルに加えて曜日ごとの録画時間帯を設定できるものとし、毎週の同一の曜日ごとに同一の時間帯にて録画を繰り返すものでもよい。この場合、連携先の録画装置から取得するループ録画に関する情報に曜日を含めればよい。
【符号の説明】
【００８４】
１  録画装置
２  チューナ部
３  データ処理部
４  記録部
５  出力部
６  操作部
７  記憶部
８  通信部
９  制御部
１０  ネットワーク
１１  録画装置
１２  チューナ部
１３  データ処理部
１４  記録部
１５  出力部
１６  操作部
１７  記憶部
１８  通信部
１９  制御部
【図１】
2017055323.tif 000003
【図２Ａ】
2017055323.tif 000004
【図２Ｂ】
2017055323.tif 000005
【図３】
2017055323.tif 000006
【図４】
2017055323.tif 000007
【図５】
2017055323.tif 000008
【図６】
2017055323.tif 000009
【図７】
2017055323.tif 000010
【図８】
2017055323.tif 000011